(57)【特許請求の範囲】
【請求項１】
家具本体（３）に対して相対的に可動に支持された家具部品（２）を動かす家具駆動装置（１）であって、
・前記家具本体（３）の表面にまたは内側に組み付けるための駆動ユニット（４）と、
・可動の前記家具部品（２）を動かすための、可動に支持された少なくとも１つの作動部材（５）と、を備え、
前記駆動ユニット（４）に、前記家具本体（３）に当接可能な少なくとも１つの組付ストッパ（６）が設けられており、前記組付ストッパ（６）は、前記駆動ユニット（４）に前もって組付けされている、家具駆動装置において、
前記組付ストッパ（６）は、前もって組付けされた状態で、前記駆動ユニット（４）に対して相対的に揺動可能にかつ／または摺動可能に前記駆動ユニット（４）に支持されていることを特徴とする、家具駆動装置。
【請求項２】
前記駆動ユニット（４）は、ハウジングおよび／または組付プレート（７）を有し、前記組付ストッパ（６）は、前記ハウジングおよび／または前記組付プレート（７）とは別個の部材として構成されている、請求項１記載の家具駆動装置。
【請求項３】
前記作動部材（５）は、前記駆動ユニット（４）に対して相対的に揺動可能に支持されている、請求項１または２記載の家具駆動装置。
【請求項４】
前記組付ストッパ（６）は、前記家具本体（３）の表面にまたは内側に位置決めするために、前記家具本体（３）の壁（９）、好適には側壁（９ａ）の端面（８）に当接可能であり、前記駆動ユニット（４）は、前記壁（９）の前記端面（８）に前記組付ストッパ（６）が当接することによって、前記家具本体（３）の表面におけるまたは内側における所定の組付け位置に位置決め可能である、請求項１から３までのいずれか１項記載の家具駆動装置。
【請求項５】
前記組付ストッパ（６）は、まずは揺動運動を少なくとも部分的に行ったあとで前記駆動ユニット（４）に対して相対的に摺動可能である、請求項１から４までのいずれか１項記載の家具駆動装置。
【請求項６】
前記組付ストッパ（６）は、前記作動部材（５）の回動軸線（Ｄ）に対して平行に間隔を置いて延在する方向（Ｒ）に摺動可能に支持されている、請求項１から５までのいずれか１項記載の家具駆動装置。
【請求項７】
前記組付ストッパ（６）は、ピン（１０）に沿って摺動可能に支持されている、請求項１から６までのいずれか１項記載の家具駆動装置。
【請求項８】
前記作動部材（５）は、前記駆動ユニット（４）に対して相対的に、所定の回動軸線（Ｄ）を中心に揺動可能に支持されており、前記組付ストッパ（６）は、好適には前記回動軸線（Ｄ）に対して平行な軸線（Ａ）を中心に揺動可能に支持されている、請求項１から７までのいずれか１項記載の家具駆動装置。
【請求項９】
前記組付ストッパ（６）は、第１の姿勢と第２の姿勢との間で制限されて可動に支持されており、前記組付ストッパ（６）は、第１の姿勢で、前記家具駆動装置（１）の凹部（１１）に少なくとも部分的に収容されていて、第２の姿勢で、前記駆動ユニット（４）から横方向に突出しており、これによって、前記組付ストッパ（６）は、前記家具本体（３）の端面（８）に当接可能である、請求項１から８までのいずれか１項記載の家具駆動装置。
【請求項１０】
前記組付ストッパ（６）は、前記家具本体（３）の前記端面（８）に当接するための少なくとも１つのストッパ面（１２）を有する、請求項９記載の家具駆動装置。
【請求項１１】
前記組付ストッパ（６）は、少なくとも２つのストッパ面（１２，１２ａ）を有し、該ストッパ面（１２，１２ａ）は、前記家具本体（３）の、互いに反対の側に位置する２つの側壁（９ａ，９ｂ）の異なる２つの端面（８，８ａ）に選択的に当接可能である、請求項１０記載の家具駆動装置。
【請求項１２】
前記組付ストッパ（６）は、対称軸線（Ｓ）を有し、少なくとも２つの前記ストッパ面（１２，１２ａ）は、前記対称軸線（Ｓ）に関して鏡面対称に配置されている、請求項１１記載の家具駆動装置。
【請求項１３】
前記組付ストッパ（６）は、略Ｔ字形に構成されている、請求項１から１２までのいずれか１項記載の家具駆動装置。
【請求項１４】
前記家具駆動装置（１）は、少なくとも１つの前記作動部材（５）に力を加えるための少なくとも１つのばね装置（１３）を有する、請求項１から１３までのいずれか１項記載の家具駆動装置。
【請求項１５】
請求項１から１４までのいずれか１項記載の少なくとも１つの家具駆動装置を備える家具。
【請求項１６】
前記家具（１６）は、家具本体（３）と、該家具本体（３）に対して相対的に高さ運動可能な家具部品（２）、好適にはフラップとを有し、前記家具部品（２）は、前記家具駆動装置（１）によって、閉位置と、前記家具本体（３）に対して相対的に持ち上げられた位置との間で可動に支持されている、請求項１５記載の家具。
【請求項１７】
家具本体の表面にまたは内側に請求項１から１４までのいずれか１項記載の家具駆動装置を組み付ける方法において、
・組付ストッパ（６）が前記家具本体（３）の壁（９）、好適には側壁（９ａ）の端面（８）に当接するまで、駆動ユニット（４）を所定の位置へと動かし、これによって、前記駆動ユニット（４）は、奥行きに関して、前記家具本体（３）の表面におけるまたは内側における所定の組付け位置に位置決めされる、ステップと、
・前記駆動ユニット（４）を、好適にはねじまたは釘を用いて、前記家具本体（３）の表面におけるまたは内側における所定の組付け位置に取り付ける、ステップと、
を有する方法において、
前記駆動ユニット（４）を動かす前に、
・前記駆動ユニット（４）に対して相対的に、前記組付ストッパ（６）を第２の姿勢へと揺動させかつ／または摺動させ、前記第２の姿勢では、前記組付ストッパ（６）は、前記駆動ユニット（４）から横方向に突出し、これによって、前記組付ストッパ（６）は、前記家具本体（３）の端面（８）に当接可能である、ステップ、
を有することを特徴とする、方法。
【請求項１８】
前記駆動ユニット（４）を取り付ける前にまたは後に、
・前記駆動ユニット（４）に対して相対的に、前記組付ストッパ（６）を第１の姿勢へと揺動させかつ／または摺動させ、前記第１の姿勢では、前記組付ストッパ（６）は、前記家具駆動装置（１）の凹部（１１）に少なくとも部分的に収容される、ステップを有することを特徴とする、請求項１７記載の方法。
【請求項１９】
前記駆動ユニット（４）を取り付ける前に、
・前記駆動ユニット（４）の、好適には前記組付ストッパ（６）とは別個のストッパ（６ａ）が、前記家具本体（３）の天壁（１５）の下面（１４）に当接するまで、前記駆動ユニット（４）を、所定の位置へと動かし、これによって、前記駆動ユニット（４）が、高さに関して前記家具本体（３）の表面におけるまたは内側における所定の組付け位置に位置決めされる、ステップを有することを特徴とする、請求項１７または１８記載の方法。
【請求項２０】
前記駆動ユニット（４）は、位置決めのための運動中、前記家具本体（３）の壁（９）、好適には側壁（９ａ）に当接し、前記壁（９）に沿って摺動させられる、請求項１７から１９までのいずれか１項記載の方法。
【発明の詳細な説明】
【技術分野】
【０００１】
本発明は、
・家具本体の表面にまたは内側に組み付けるための駆動ユニットと、
・可動の家具部品を動かすための、可動に支持された少なくとも１つの作動部材と、を備える、家具本体に対して相対的に可動に支持された家具部品を動かす家具駆動装置に関する。
【０００２】
さらに本発明は、少なくとも１つのそのような家具駆動装置を備える家具に関する。その上さらに本発明は、家具本体の表面にまたは内側に家具駆動装置を組み付ける方法に関する。
【０００３】
「定規と鉛筆」を使用して家具本体の表面にまたは内側に位置決めされる家具駆動装置がすでに知られている。しかし、既知の位置決め手段の欠点は、そのような位置決めが極めて不正確にしか、かつ多大な手間をかけてしか可能ではないことである。すなわち、正確な組付け位置は、家具部品が組付け状態で適正に可動であることの必須条件である。
【０００４】
たとえば独国実用新案第２０２０１３００７５１９号明細書（DE 20 2013 007 519 U1）は、２つまたは３つ以上の作動駆動装置を様々な構造のハウジングに取り付けるように構成された組付プレートを例として開示している。
【０００５】
本発明の課題は、上述の欠点のうちの少なくとも１つを回避するとともに、従来技術に対して改良された家具駆動装置と、改善された、少なくとも１つの家具駆動装置を備える家具とを提供することであり、これによって、家具本体の表面におけるまたは内側における家具駆動装置の容易な組付けが実現される。
【０００６】
本発明の別の課題は、改善された、家具本体の表面にまたは内側に家具駆動装置を組み付ける方法を提供することにあり、これによって、同様に容易にされた、特に標準化された組付けが保証される。
【０００７】
これらの課題は、独立請求項１、１８および２０の特徴によって解決される。
【０００８】
本発明の好適な実施の形態は、従属請求項に定義されている。
【０００９】
したがって、本発明に係る家具駆動装置に関する本質的な思想によれば、駆動ユニットに、家具本体に当接可能な少なくとも１つの組付ストッパが設けられている。このような構成手段によって、家具駆動装置を、所定の組付け位置で家具本体の表面にまたは内側に位置決めすることができる。
【００１０】
換言すると、家具駆動装置は、家具本体の端面に当接可能な少なくとも１つの組付ストッパを有し、この場合、駆動ユニットは、家具本体の端面に組付ストッパが当接することによって、所定の組付け位置で、家具本体の表面にまたは内側に位置決め可能であることが想定されてよい。この場合、家具本体は、鉛直に延在する少なくとも１つの側壁を有してよく、この場合、好適には、家具本体の端面は、この側壁の、鉛直に延在する短い側面によって形成されている。これに対して代替的に、端面は、家具本体の天壁の、水平に延在する短い側面によって形成されていることが想定されてよい。
【００１１】
１つの形態によれば、駆動ユニットが、ハウジングおよび／または組付プレートを有し、組付ストッパが、ハウジングおよび／または組付プレートとは別個の部材として構成されていることが想定されている。これによって、破損した組付ストッパを容易に交換することができる。
【００１２】
組付ストッパは、駆動ユニットに対して相対的に可動に支持されてよい。好適には、組付ストッパは、駆動ユニットに対して相対的に第１の姿勢と第２の姿勢との間で揺動可能にかつ／または摺動可能に支持されていることが想定されている。
【００１３】
別の形態によれば、組付ストッパは、駆動ユニットに前付けされており、組付ストッパは、前付けされた状態で、駆動ユニットに対して相対的に揺動可能にかつ／または摺動可能に駆動ユニットに支持されている。
【００１４】
別の形態によれば、カバーキャップが設けられていてよく、この場合、カバーキャップは、組付ストッパを、第１の姿勢で、かつ／または家具駆動装置の側方の可視領域を、組み付けられた状態で、少なくとも部分的に遮蔽する。カバーキャップは、好適には、組付ストッパをその第１の姿勢でカバーするように構成された屈曲部分を有してよい。
【００１５】
少なくとも１つの家具駆動装置を備えた家具では、家具は、家具本体と、家具本体に対して相対的に高さ運動可能な家具部品、好適にはフラップを有し、この場合、家具部品は、家具駆動装置によって、閉位置と、家具本体に対して相対的に持ち上げられた位置との間で可動に支持されていることが想定されてよい。要するに、家具本体に対して相対的な家具部品の運動は、家具駆動装置によって、たとえばばね装置によってかつ／または電気的な駆動装置によって補助される。
【００１６】
理解を容易にするために、以下、駆動ユニットの「ハウジングおよび／または組付プレート」の代わりに、「組付プレート」が用いられるが、同一の説明はハウジングにも適用される。
【００１７】
本発明のさらなる利点および詳細は、図面および図面に関連する説明から明らかである。
【図面の簡単な説明】
【００１８】
【図１】ａ、ｂは、家具本体と可動の家具部品とを有する家具を示し、家具部品は、家具駆動装置によって可動である。
【図２】ａ〜ｃは、高さに関して位置決めされたまたは高さおよび奥行きに関して位置決めされた位置で、家具本体の壁と家具駆動装置とを示す図であり、またこれに対する拡大図を示す。
【図３】ａ、ｂは、図１のａによる家具駆動装置の斜視図を示し、またこれに対する拡大図を示す。
【図４】ａ、ｂは、図１のａによる家具駆動装置の斜視図を示し、またこれに対する拡大図を示す。
【図５】ａ〜ｃは、図１のａによる家具駆動装置の斜視図を示し、またこれに対する２つの拡大図を示す。
【図６】ａ〜ｄは、様々な姿勢で組付ストッパを示す。
【００１９】
図１ａは、家具本体３と、家具本体３に対して相対的に高さ運動可能な家具部品２とを有する家具１６を示している。高さ運動可能な家具部品２は、本図において、家具フラップとして構成されている。さらに、両方の側壁９ａ，９ｂに、家具駆動装置１がそれぞれ配置されており、この場合、家具駆動装置１は、１つの駆動ユニット４と、可動に支持された少なくとも１つの作動部材５とをそれぞれ有する。この場合、家具部品２は、作動部材５によって、閉位置と、家具本体３に対して相対的に持ち上げられた位置との間で可動である。家具部品２は、図１では、持ち上げられた位置で示されている。作動部材５は、複数の部品から成る構成を有してもよい。側壁９ｂに配置された家具駆動装置１は、たとえば３つの作動アーム５ａ，５ｂ，５ｃを有し、作動アーム５ａ，５ｂ，５ｃは、相互に枢着式に結合されている。本明細書の関連において、付加的に、作動部材５が家具部品２に直接に結合されなくてよいことにも留意されたい。別のレバーおよび／または取付具を介する間接の結合部が設けられてもよい。
【００２０】
図１ｂは、家具本体３の壁９と天壁１５の一部とを示している。図１ｂでは、家具駆動装置１は、まだ所定の組付け位置に位置決めされていない。さらに、家具駆動装置１は、駆動ユニット４と、可動に支持された作動部材５と、略Ｔ字形の組付ストッパ６と、２つのストッパ６ａとを有する。この場合、組付ストッパ６は、駆動ユニット４に対して相対的に可動に支持されている。両方のストッパ６ａは、家具本体３における駆動ユニット４の高さに関する位置決めに用いられる。天壁１５は、下面１４を有し、この場合、ストッパ６ａは、天壁１５のこの下面１４に当接可能である。
【００２１】
図２ａは、家具本体３の壁９と天壁１５の一部とを示している。天壁１５は、下面１４を有し、この場合、この下面１４に、両方のストッパ６ａが当接可能である。ここでも、家具駆動装置１は、駆動ユニット４と、駆動ユニット４に対して相対的に揺動可能に支持された作動部材５と、組付ストッパ６と、上述の２つのストッパ６ａとを有する。略Ｔ字形の組付ストッパ６は、壁９の端面８に当接するのに用いられる。図１ｂとは相違して、図面において左側のストッパ６ａは、すでに天壁１５の下面１４に当接されていて、したがって、駆動ユニット４は、高さに関して家具本体３において前位置決めされており、右側に示されたストッパ６ａは、これに続いて天壁１５の下面１４に当接可能である。
【００２２】
図２ｂは、家具本体３の壁９と天壁１５の一部とを示している。図示された家具駆動装置１は、ここでは所定の組付け位置で、家具本体３の壁９に位置決めされている。駆動ユニット４の高さに関する位置決めに用いられる２つのストッパ６ａは、天壁１５の下面１４に当接している。組付ストッパ６は、壁９の端面８に当接されているので、駆動ユニット４は、奥行きに関して家具本体３に位置決めされている。駆動ユニット４の平坦な面を壁９に当接させることによって、駆動ユニット４は、全方向で家具本体３における所定の組付け位置に固定される。図２ａとは相違して、組付ストッパ６は、揺動させられて摺動させられた姿勢で示されているので、組付ストッパ６は、端面８に当接することができる。これに対して代替的に、駆動ユニット４は、その平坦な面を、天壁１５の下面１４に当接することも可能であるので、組付ストッパ６は、天壁１５の端面１７にも当接可能である。
【００２３】
図２ｃは、図２ｂにおいて円で囲んだ領域を拡大図で示している。この図２ｃにおいて、組付ストッパ６が対称軸線Ｓを有し、この場合、組付ストッパ６は、対称軸線Ｓに関して鏡面対称に構成されているので、組付ストッパ６は、左右の動きによって、選択的に、家具本体３の、互いに反対の側に位置する側壁９ａ，９ｂの異なる２つの端面８，８ａに当接可能であることが看取される。したがって、図示の家具駆動装置１は、家具本体３の左右の両方の側壁９ａ，９ｂに位置決めすることができる。さらに、組付ストッパ６は、対称軸線Ｓに対して対称に配置された２つのストッパ面１２，１２ａを有する。図２ｃにおいて、ストッパ面１２は、端面８に当接されている。
【００２４】
図３ａは、家具駆動装置１の斜視図を示しており、この図３ａにおいて、駆動ユニット４は、ピン１０を介して可動に支持された組付ストッパ６を有する。さらに、駆動ユニット４は、組付プレート７を有し、組付プレート７は、駆動ユニット４を壁９に取り付けるのに用いられる。さらに、作動部材５に力を加えるばね装置１３が設けられている。
【００２５】
図３ｂは、図３ａにおいて円で囲んだ領域を拡大図で示している。この図３ｂにおいて、組付ストッパ６の２つのストッパ面１２，１２ａが認められ、この場合、これらの２つのストッパ面１２，１２ａは、互いに反対の側に位置する２つの側壁９ａ，９ｂの端面８，８ａに当接するのに用いられる。さらに、軸線Ａが認められ、軸線Ａを中心に組付ストッパ６が揺動可能に支持されている。駆動ユニット４は、組付ストッパ６を収容するための凹部２０を有する。組付ストッパ６は、第１のウェブ１８と第２のウェブ１９とを有する。第１のウェブ１８の幅は、凹部２０の幅よりも小さく、第２のウェブ１９の幅は、凹部２０の幅にほぼ相応する。したがって、方向Ｒでのピン１０に沿ったまたは軸線Ａに沿った組付ストッパ６の摺動は、駆動ユニット４に対して相対的に組付ストッパ６の揺動運動が少なくとも部分的に行われた後ではじめて可能である。作動部材５（この図３ｂでは認められない）は、駆動ユニット４に対して相対的に回動軸線Ｄを中心に揺動可能に支持されており、この場合、回転軸線Ｄと軸線Ａとは、相互に略平行に延在する。組付ストッパ６が摺動可能である方向Ｒも、回動軸線Ｄに対して平行に間隔を置いて延在する。
【００２６】
図４ａは、家具駆動装置１を斜視図で示している。図３ａとは相違して、組付ストッパ６は、揺動させられた姿勢で示されている。さらに、組付プレート７が認められ、組付プレート７は、ねじまたは釘（図示されていない）を用いて駆動ユニット４を壁９に取り付けるのに適している。
【００２７】
図４ｂは、図４ａの詳細図を示している。作動部材５の回転軸線Ｄおよび方向Ｒについては、図３ｂの説明が参照される。さらに、駆動ユニット４の凹部１１が認められ、凹部１１には、組付ストッパ６が、図３ａに示されたその第１の姿勢において、少なくとも部分的に収容可能である。
【００２８】
図５ａは、図４ａの揺動させられた姿勢に対して付加的にさらにピン１０に沿って左方へ摺動させられた組付ストッパ６の別の姿勢を示している。
【００２９】
図５ｂは、図５ａにおいて円で囲んだ領域を別の斜視図で示している。取付ストッパ６が第２の姿勢で所定の位置に保持されるように、組付ストッパ６は、面取りされた領域２１を有する。面取りされた別の領域２１が、対称軸線Ｓに対して対称に別の側にも形成されている。これによって、取付ストッパ６は、ピン１０に沿って右方へ摺動させられた姿勢でも所定の位置に保持される。つまり、組付ストッパ６は、左方または右方へ摺動させられた姿勢では、自重によって下方へ下がることがない。「上」または「下」の記述は、それぞれ家具駆動装置１の通常の組付け位置に関するものである。
【００３０】
図５ｃは、図５ｂにおける細部を別の斜視図で示している。この図５ｃでは、凹部１１が認められ、凹部１１は、組付ストッパ６の第１の姿勢で、組付ストッパ６を少なくとも部分的に収容するように設けられている。
【００３１】
図６ａは、組付ストッパ６の対称軸線Ｓに沿った組付ストッパ６の断面図を示している。組付ストッパ６は、ピン１０を介して、駆動ユニット４に対して相対的に可動に支持されていて、この図では第１の姿勢にある。さらに、軸線Ａが認められ、軸線Ａを中心に組付ストッパ６が揺動可能に支持されていて、この軸線Ａに沿って摺動可能である。
【００３２】
図６ｂは、図６ａとは相違して、ピン１０を中心に揺動させられた姿勢で、組付ストッパ６を示している。
【００３３】
図６ｃおよび図６ｄは、ピン１０に沿って摺動させられた姿勢の組付ストッパ６を示している。この姿勢は、それぞれ組付ストッパ６の第２の姿勢に相応する。さらに、この姿勢は、家具駆動装置１の組付け状態に相応し、この場合、家具駆動装置１の駆動ユニット４は、この位置で、高さおよび奥行きの両方に関して、家具本体の表面にまたは内側に位置決め可能である。これら２つの図面に基づき、組付ストッパ６の、図５ｂに示された面取りされた領域２１が、第２の姿勢で、駆動ユニット４に少なくとも部分的に当接し、したがって、自重による組付ストッパ６の落下が阻止されることが看取される。
【００３４】
本発明に係る、家具駆動装置１を組み付ける方法を、図１ｂ、図２ａおよび図２ｂに基づき説明する。その際、以下のステップが実行される。
・組付ストッパ６が家具本体３の壁９の端面８に当接するまで、駆動ユニット４を所定の位置へと動かし、これによって、駆動ユニット４は、奥行きに関して、家具本体３の所定の組付け位置に位置決めされる、ステップ。
・好適にはねじまたは釘（図示されていない）を用いて、家具本体３の所定の組付け位置に駆動ユニット４を取り付ける、ステップ。
【００３５】
駆動装置ユニット４を動かす前に、以下のステップが想定されてよい。
・組付ストッパ６を、駆動ユニット４に対して相対的に第２の姿勢へと揺動させかつ／または摺動させ、第２の姿勢では、組付ストッパ６は、駆動ユニット４から横方向に突出し、これによって、組付ストッパ６は、家具本体３の端面８に当接可能となる、ステップ。
【００３６】
さらに、駆動ユニット４の取付け前または後に、次のステップが想定されてよい。
・組付ストッパ６を、駆動ユニット４に対して相対的に第１の姿勢へと揺動させかつ／または摺動させ、第１の姿勢では、組付ストッパ６は、家具駆動装置１の凹部１１に少なくとも部分的に収容される、ステップ。
【００３７】
その際、駆動ユニットを取り付ける前に、以下のステップを実行することができる。
・駆動ユニット４の、組付ストッパ６とは別個の複数のストッパ６ａのうちの少なくとも１つが家具本体３の天壁１５の下面１４に当接するまで、駆動ユニット４を所定の位置へと動かし、これによって、駆動ユニット４は、高さに関して、家具本体３の所定の組付け位置に位置決めされる。
【００３８】
ここでは、奥行きに関して位置決めするために駆動ユニット４を動かす前に、高さに関して位置決めするために駆動ユニット４を動かすことは必然ではないことに留意されたい。これは、逆の順序で実行することもできる。
【００３９】
駆動ユニット４の運動を容易にするために、駆動ユニット４は、位置決めのための運動中、家具本体３の壁９に当接し、この壁９に沿って摺動することができる。
【符号の説明】
【００４０】
１  家具駆動装置
２  可動に支持された家具部品
３  家具本体
４  駆動ユニット
５  作動部材
５ａ  作動アーム
５ｂ  作動アーム
５ｃ  作動アーム
６  組付ストッパ
６ａ  ストッパ
７  組付プレート
８  端面
８ａ  端面
９  壁
９ａ，９ｂ  側壁
１０  ピン
１１  凹部
１２  ストッパ面
１２ａ  ストッパ面
１３  ばね装置
１４  下面
１５  天壁
１６  家具
１７  天壁の端面
１８  組付ストッパの第１のウェブ
１９  組付ストッパの第２のウェブ
２０  凹部
２１  組付ストッパの面取りされた領域
Ｄ  回動軸線
Ａ  軸線
Ｒ  方向
Ｓ  対称軸線
【図１ａ】
0006805357.tif 000002
【図１ｂ】
0006805357.tif 000003
【図２ａ】
0006805357.tif 000004
【図２ｂ】
0006805357.tif 000005
【図２ｃ】
0006805357.tif 000006
【図３ａ】
0006805357.tif 000007
【図３ｂ】
0006805357.tif 000008
【図４ａ】
0006805357.tif 000009
【図４ｂ】
0006805357.tif 000010
【図５ａ】
0006805357.tif 000011
【図５ｂ】
0006805357.tif 000012
【図５ｃ】
0006805357.tif 000013
【図６ａ】
0006805357.tif 000014
【図６ｂ】
0006805357.tif 000015
【図６ｃ】
0006805357.tif 000016
【図６ｄ】
0006805357.tif 000017